(57)【要約】【課題】従来のスライディングドアの欠点は有さないスライディングドアを提供する。【解決手段】スライディング扉１１、および扉１１の縁１６の領域に配置されるガイド手段１３、１４を備えるドアが開示される。ガイド手段１３、１４はベルト１３を具備し、ベルト１３は、扉１１の摺動の方向に、扉１１のガイド表面１８の長手方向にベルト長さだけ沿って延在するように位置調整される。扉１１が摺動するときに、ベルト１３は扉１１と一緒に移動し、扉１１が開き、摺動し、かつ閉じるときに、ベルト１３の一部がガイド表面１８に当接し、それによって扉１１をガイドする。【選択図】      図１Ｃ
2004263540.tif 000002
【特許請求の範囲】
【請求項１】
ドア（１０）のガイド表面（１８；２８；３８．１、３８．２）に沿って摺動可能な扉（１１；２１；３１；４１；６１）を備えたドア（１０）であって、前記扉（１１；２１；３１；４１；６１）と前記ガイド表面（１８；２８；３８．１、３８．２）との間に少なくとも１つの要素を備え、該少なくとも１つの要素が、可動ベルト（１３；２３；３３．１、３３．２；４３；６３）の一部をガイドするためにガイド部品（１４、１５；２４、２５；３４．１、３４．２、３５．１、３５．２；４４．１、４４．２、４４．３；６４、６５）を具備し、前記可動ベルトの一部が、前記扉（１１；２１；３１；４１；６１）の摺動中に前記ガイド表面（１８；２８；３８．１、３８．２）に接触するように構成されるドア（１０）であり、長さ方向において、前記ガイド部品（１４、１５；２４、２５；３４．１、３４．２、３５．１、３５．２；４４．１、４４．２、４４．３；６４、６５）が、前記扉（１１；２１；３１；４１；６１）の平面に実質的に平行に且つ前記ガイド表面（１８；２８；３８．１、３８．２）に平行に配置されることを特徴とするドア（１０）。
【請求項２】
前記ガイド表面（１８；２８；３８．１、３８．２）が、ドアフレーム（１９）またはドアケースの領域に配置されることを特徴とする、請求項１に記載のドア（１０）。
【請求項３】
前記少なくとも１つの要素が、ドアフレームまたはドアケースの領域に配置され、前記ガイド表面が、前記扉の縁の領域に配置されることを特徴とする、請求項１に記載のドア（１０）。
【請求項４】
前記ベルト（１３；２３；３３；４３；６３）が、弾性特性を有することを特徴とする、請求項１から３のいずれか一項に記載のドア（１０）。
【請求項５】
追加のガイド表面（３８．１）と、追加のベルト（３３．２）と、追加のガイド部品（３４．２、３５．２）とを具備することを特徴とする、請求項１から４のいずれか一項に記載のドア（１０）。
【請求項６】
少なくとも１つのガイド部品（１４、１５；２４、２５；３４．１、３５．１、３４．２、３５．２；４４．１、４４．２、４４．３；６５）が、ローラーとして作られ、回転可能に締結されることを特徴とする、請求項１から５のいずれか一項に記載のドア。
【請求項７】
前記ベルト（１３；２３；３３．１、３３．２；４３；６３）が、前記ガイド表面へ向けて調節可能であることを特徴とする、請求項１から６のいずれか一項に記載のドア。
【請求項８】
前記ベルト（１３；２３；３３．１、３３．２；４３；６３）が、ガイド機能だけでなく、密閉機能も行うことを特徴とする、請求項１から７のいずれか一項に記載のドア。
【請求項９】
前記ベルト（４３；７３）が、少なくとも１つのガイド部品（４４）および／またはガイド表面（７８）として構成されるガイド構造体（４４．２、４４．３、７９）によって側方向にガイドされることを特徴とする、請求項１から８のいずれか一項に記載のドア。
【請求項１０】
前記ベルトが、ラミネート構造を有することを特徴とする、請求項１から９のいずれか一項に記載のドア。
【請求項１１】
請求項１から１０のいずれか一項に記載のドアを備えたエレベータ設備であって、前記ドアが、昇降路ドアであるかまたはケージドアであるエレベータ設備。
【発明の詳細な説明】
【技術分野】
【０００１】
本発明は、請求項１の導入部にしたがったスライディング扉を備えたドア、およびそのようなドアを備えたエレベータ設備に関する。
【背景技術】
【０００２】
スライディング扉を有するドアは、スライディングドアとも称され、多くの利点を有する。特に、開く扉が平行に壁にすぐ近接して摺動し、したがって、ドアを開くための領域にどのような使用可能な空間も必要としないため、スイングドアに必要な空間に対してスライディングドアに必要な空間は、比較的小さい。
【０００３】
スライディング扉を備えたそのようなドアの欠点は、特に、扉がガイドされないかまたは十分にガイドされず、摺動中に騒音を発生し、その騒音が建物の離れた場所でも聞こえることが多く、摺動中に扉のガイドのために作用するガイド要素がかなりの磨耗を受け、閉じた状態での扉は、ドアを開くことによって接続可能な場所に、密閉されていないかまたは不充分に密閉された分離だけを形成するという事実にある。この最後に述べた欠点は、特にエレベータ設備の昇降路ドアの場合に重大である。なぜなら、エレベータ昇降路では避けることができない気流のため、耳障りな騒音につながるかなりのすきま風が、たとえば、一般に知られている「煙突効果」によって、または昇降路を通って移動する間のエレベータケージの運動によって、形成され得るからである。
【０００４】
上述の欠点は、ＵＳ−４，７８１，２７０から知られており、エレベータ設備に使用されるように作られたスライディングドアの場合に特に顕著である。その扉は、ドア敷居プロファイル部材のガイド溝に、扉に締結される摺動要素によってガイドされる。そのような扉の摺動時に、摺動要素は、高レベルの摺動摩擦にさらされ、したがって磨耗を受けやすい方法でかつ比較的大きな騒音を発生して動き得る。ドア敷居プロファイル部材のガイド溝の避けられない汚染のためのみであるならば、摩擦を受けやすいドアの構成要素用に適切に材料を選択することによって、摩擦条件の最適化に限定が課せられる。さらに、摺動要素は、扉のジャムを防止するために、最小の可動量で摺動要素がガイドされなければならない。これは、上述の密閉問題の１つの原因である。
【０００５】
【特許文献１】米国特許第４，７８１，２７０号明細書
【発明の開示】
【発明が解決しようとする課題】
【０００６】
したがって本発明の目的は、従来のスライディングドアの上述された欠点を有さない、導入部で述べられた種類の改良されたドアを提案することである。
【課題を解決するための手段】
【０００７】
本発明にしたがって、この目的は、請求項１の特徴部の特徴によって導入部で述べられた種類のドアで果たされる。本発明の好適な展開は、請求項１の従属請求項によって規定される。
【０００８】
本発明にしたがって、対応してガイドされるドアを備えたエレベータ設備も提供される。
【０００９】
本発明によるドアは、基本的に２つの構成要素を有する。すなわち、スライディング扉と、摺動中に扉のガイドのためのガイド表面を提供する構成要素とである。ガイド表面を提供する構成要素は、たとえば、ドアフレームまたはドアケースに類似した構成要素であり、これは簡略化のために下記ではフレームと称される。扉は、摺動の方向にフレームに対して左右に変位可能である。さらに、側方向摺動中に扉のガイドのためのガイド手段が設けられる。これらのガイド手段は、扉の縁の領域に配置され、扉の摺動中にフレームの隣接部分に沿って動く。ガイド手段は実質的にベルトから構成される。ベルトは、スライディング扉と一緒に移動するように配置され、このため、扉の摺動中に、ベルトの一部がガイド表面に当接する。ベルトは、扉のガイド表面に沿ってそのベルト長さだけ延在するように位置調整される。ベルトの表面は、扉が開き、摺動し、かつ閉じるときにガイド表面に当接する。
【００１０】
ベルトをガイド表面に位置調節するために、ベルト用に１つまたは複数のガイド要素を設けることが有利でありうる。扉の摺動中に、ベルトが、ガイド要素によって位置調節され、ベルトの一部がガイド表面に当接し、ベルトがガイド要素の少なくとも１つにわたって移動する。
【００１１】
その場合、ガイド手段は、ガイド表面に沿って扉をガイドし、扉に安定性を与える。
【００１２】
加えて、ガイド手段は、密閉手段として作用するように実現することができる。これは、エレベータの昇降路ドアの場合に特に有利である。なぜなら、減少した圧力または過剰圧力がエレベータ昇降路に存在することが多く、空気が昇降路ドアを通って流れるという結果を有するからである。その種類の気流が不愉快に感じうるという事実だけでなく、結果として耳障りな騒音も生じる。急激に動くエレベータを備えたエレベータ設備の場合には、圧力差が部分的に大きくなるため、昇降路ドアの扉が、高い程度の力でのみ開けられることができる。その種類の状況は、本発明によるガイド要素によって回避することができる。
【００１３】
建物の火災の場合には、状況によっては、エレベータ昇降路が、強力な気流によって火災をさらに煽る煙突効果へ導かないことも重要である。加えて、エレベータ昇降路の不十分な密閉の場合には、煙が数階にわたって広がる可能性がある。
【００１４】
弾性特性を備えたベルトが、本発明によるドアに使用されることが好ましい。弾性特性を備えたベルトという用語によって、本発明の文脈において、ベルトの長手方向に、および／または横方向に、および／またはベルト表面を横切って、弾性があるベルトであると理解すべきである。特に、ベルト長手方向に弾性があるベルトを作る必要はなく、または、弾性のある材料から完全に作られる必要はない。ベルトは、弾性材料製の部分によって接続されるか、または長さが可変である実質的に非弾性の要素によって相互接続される、実質的に非弾性材料製の１つまたは複数の部分を有することができる。扉の摺動中に、扉のガイドおよび騒音の減少が意図されるだけではなく、ドアが閉じられるときにシーリングとしても使用されるベルトは、一般に、ベルト表面を横切った方向に弾性的に圧縮可能であり、それに関して、弾性的に圧縮可能な材料で作られることを理解すべきである。しかしながら、たとえば、２つの接続された突出部を備えた形状を有する場合には、ベルトは、弾性ではあるが実質的に非圧縮性の材料からも作ることができ、突出部は、ベルト表面を横切った方向に弾性的に互いに向けられることができる。使用されるベルトは、いずれの場合も、ガイド要素のまわりに巻かれることができる可撓性を有さなければならない。
【００１５】
新しいドアの第１の変形形態では、ガイド手段のガイド要素は、扉に接続され、一方、ガイド表面は、下部ドアガイドを提供するために、フレームにまたはフレームの領域内に固定して配置され、たとえば、ドアの下部部分のドア敷居に配置される。
【００１６】
新しいドアの第２の変形形態では、ガイド手段のガイド要素は、フレームにまたはフレームの領域内に配置され、一方、ガイド表面は、その縁の領域内に扉に配置される。
【００１７】
両方の変形形態で、ガイド要素は、１つまたは複数の、好ましくは２つの撓み要素を具備し、撓み要素は、ガイド表面を有さないドアの構成要素に締結される。ベルトは、エンドレスベルトとして、または２つのベルト端を備えたオープンベルトとして構成されることができる。エンドレスベルトは、ガイド表面を有するドア構成要素の固定点に少なくとも１つのベルト位置によって固定されることができる。オープンベルトは、ガイド表面の領域に配置された固定点でベルト端の領域に少なくとも１つの各ベルト位置によって固定されることができる。
【００１８】
第３の変形形態では、２つのベルト端を備えたオープンベルトが使用される。第１のベルト端は、ガイド表面の領域に配置された固定点で固定されるようにベルト位置で固定され、第２のベルト端は、長手方向ガイドを形成する第１のガイド要素にガイドされる。ベルトは、締結されたベルト位置と長手方向ガイドとの間で、撓み本体によって形成される第２のガイド要素のまわりに巻かれる。
【００１９】
一般に扉は側方向に変位可能であり、上部領域で懸架される。ガイド手段が配置される領域の扉の縁は、扉の下部縁である。
【００２０】
しかし、扉は、垂直方向に変位可能であってもよく、その場合、本発明の意味のガイド手段は、扉の一方または両方の側方向縁の領域に設けることができる。扉は、単一の扉を形成するか、または、翼のように摺動可能ないくつかの扉を備えたドアシステムの一部を形成する。
【００２１】
ベルト表面とベルト表面が当接するガイド表面とは、その間に小さな程度のスリップが可能であるか、またはいずれのスリップも防止されるように構成されることができる。相互接触表面が、摺動の方向を横切るプロファイル表面を備える適切なプロファイルを有する（機械的に確実な接続）か、またはベルト表面が十分に高い程度の圧力でガイド表面に当接するか、または十分な程度の接着を確実にする材料を選択するかの場合に、相対滑りを防止することができる。
【００２２】
ベルトがガイド要素から取り外されるのを防止するために、たとえば端プレート等の適切な手段が設けることができるか、または、ベルトのガイド要素が適切な方法で輪郭形成されることができる。
【００２３】
ガイド要素を扉に配置し、ガイド要素が、扉自体よりも扉を横切るより小さな寸法を有するようにガイド要素を構成することが、特に有利であることが分かっている。
【００２４】
少なくとも１つのガイド要素を、扉を横切って且つ扉の摺動の方向を横切って、弾性的に変位可能に構成することも有利である。そのような構成の場合、弾性的に変位可能なガイド要素を設定することによって制御可能であるバイアスによって、ベルトとガイド表面との接触を保つことが可能である。
【００２５】
少なくとも１つのガイド要素を、摺動軸受またはローラー軸受によって扉に接続される、少なくとも１つの回転ローラーによって形成することが可能である。
【００２６】
ガイド要素は、数個のローラーを具備することもでき、これらのローラーのまわりに巻かれる第２のベルトの形態で負荷補償要素を設けることができ、ベルトとガイド要素との間に配置される。
【００２７】
ベルトは、特に扉が閉鎖位置に配置されるときには、ガイド表面と扉の表面との間に密閉本体を形成するために、ガイド表面の方向にバイアスされることができる。
【００２８】
ドアは、述べられたガイド表面および述べられたガイド手段だけでなく、ドアが扉を横切る両方向にガイドされるように構成される、追加のガイド表面および追加のガイド手段を有することができる。このようにして、運動の方向を横切る間隔のない扉のガイドを実現することができる。間隔がまったくないかまたはほんのわずかの間隔でガイドされる扉を備えたドアは、特に効果的に密閉されることができるが、それは、空気を透過するゾーンが、ガイドの領域内で、実質的に減少されるかまたは全く回避されることが可能であるからである。
【００２９】
本発明は、図面に例示された実施形態の例を参照することによって、下記に例示的な方法で説明される。
【発明を実施するための最良の形態】
【００３０】
本発明の実施形態の第１の形態は、図１Ａから１Ｃに関連して記載される。エレベータの昇降路ドアを形成するドア１０が示される。ドア１０は、少なくとも１つのフレーム１９と、フレーム１９に対して摺動の方向１２に摺動可能である扉１１とを具備する。フレーム１９に垂直ガイド表面１８（図１Ｃ参照）が配置され、垂直ガイド表面１８に、扉１１がガイドされる。ドア１０は、扉１１の下部縁１６の領域に配置されるガイド手段を具備する。ガイド手段は、（弾性のある）ベルト１３と、ガイド要素１４および１５とを具備し、ガイド要素は扉１１に配置され、そのまわりにベルト１３が巻かれる。
【００３１】
ベルト１３は、扉１１の摺動の方向１２に平行にそのベルト長さだけ延在するように、ガイド要素１４、１５によって位置調整される。ベルト１３の表面は、扉１１が開き、閉じ、かつ摺動するときに、ガイド表面１８にぴったりと当接する。加えて、扉１１は、上部ドア領域に懸架装置を有することができる。
【００３２】
実施形態のこの形態の概略図が、図１Ｃに示される。実施形態の例示された例では矩形断面を有する溝が、フレーム１９かまたはフレームの領域に、扉コアの領域の下かまたは扉中心表面の下に設けられる。この溝の垂直側方表面が、ガイド表面１８を形成する。ガイド要素１４、１５は、そのうちのガイド要素１４が図１Ｃに見られ、扉１１の下部領域に締結される。さらに、弾性のあるベルト１３およびガイド要素１４のまわりに巻かれるこのベルト１３の部分が、図１Ｃに見られる。ガイド表面１８に面するベルト１３の外側表面の各部分は、ガイド表面１８に当接し、一方、ガイド表面１８から離れたベルト１３の外側表面の各部分は、自由に且つ実質的に接触せずに延在する。ベルト１３の内側表面は、ガイド要素１４、１５に接触するように意図される。
【００３３】
本発明による構成の効果的な方法は、図２Ａおよび図２Ｂにしたがって、たとえば、軌道敷設車両の連続した運動に関連して使用される車両チェーンの原則に基づく。ベルト２３はある程度、車両チェーンのように動く。ドアの扉２１が、図２Ａにしたがった位置から、経路Ａにわたって図２Ｂにしたがった位置内に摺動する場合に、ガイド要素２４、２５は、扉２１と堅固に動く。ガイド表面２８に当接するベルト２３の各部分は、扉２１の摺動中に、実質的に固定されたままである。扉２１の矢印２２の方向への摺動時に、先に接触していなかったベルト２３の部分が、漸次、ガイド要素２５に接触するようになり、一方、元々ガイド表面２８に接触しているベルト２３の部分は、ガイド要素２４に接触するようになり、次いで接触しなくなる。ガイド要素用の締結手段（たとえば、回転軸またはねじ）が、２６で示される。ＸおよびＹで示されるベルト位置は、効果的な明瞭化のためにのみに作用し、ベルト２３が締結される位置ではないことが言及されることができる。
【００３４】
扉２１の摺動時に、ベルト２３は、ガイド要素２４および２５のまわりに巻かれ、かつ／または摺動する。扉２１の開閉時に、表面２８に沿ったベルト２３の摺動運動はまったくないかまたはほんのわずかしかないという事実のため、ほとんど騒音は発生しない。ベルト２３は、表面２８を摺動しないかまたはほとんど摺動せず、結果として低い摩擦損失しか発生しないため、エネルギの消費、およびベルト２３、ガイド本体２４、２５、およびガイド表面２８の磨耗は、非常に少ない。
【００３５】
構成のこの形態において、ガイド手段は扉２１をガイドする。ガイド手段は、扉２１に安定性を与え、扉表面を横切った、且つその水平方向摺動の場合には運動方向を横切った、扉２１の運動を回避するかまたは防止する。しかし、このガイドは一方の側のみである。両側でのガイドは、図３Ａおよび図３Ｂにしたがった構成で達成することができる。この構成において、ドアは、矢印３２の方向に摺動可能な扉３１を有する。さらに、第１のガイド手段および第２のガイド手段が設けられる。第１のガイド手段は、ベルト３３．１およびガイド要素３４．１、３５．１を具備する。第２のガイド手段は、追加のベルト３３．２およびガイド要素３４．２、３５．２を具備する。ガイド要素用の締結手段は３６で示される。ガイド表面３８．１および追加のガイド表面３８．２が設けられ、ガイド表面３８．２は、ガイド表面３８．１に対向して配置される。ベルト３３．１、ガイド要素３４．１、３５．１、およびガイド表面３８．１は、ベルト２３、ガイド要素２４、２５、およびガイド表面２８に関して図２Ａおよび図２Ｂに関連して上述されたのと同一の方法で協働する。追加のベルト３３．２、追加のガイド要素３４．２、３５．２および追加のガイド表面３８．２は、同様に、ベルト２３、ガイド要素２４、２５、およびガイド表面２８について、図２Ａおよび図２Ｂに関連して上述されたのと同一の方法で協働する。しかしながら、追加のベルト３３．２は、扉３１の運動中に、ベルト３３．２の循環方向とは反対の各循環方向を有する。扉は両側でガイドされるため、このガイドは運動方向を横切った間隔なしで形成されることができる。ベルト３３．１および３３．２は、それぞれのガイド表面３８．１および３８．２上にぴったりと当接するため、ガイド表面の領域に効果的なドアシールが存在する。たとえば、図１Ｃ、２Ａおよび２Ｂに例示された実施形態の形態にしたがった一方の側のガイドの場合、各ベルトが各自のガイド表面にぴったりと当接するようにドアが動くのであれば、効果的なドアシールを達成することもできる。これらのいずれの場合において、ガイド表面の領域の空気透過可能なゾーンは、完全にまたは少なくとも大幅に回避可能である。
【００３６】
図４は、本発明によるドアの詳細を示す。扉４１は、その下部縁から外へ出る溝を有する。ローラー軸受４５によってこの溝の領域に締結されるのは、撓みローラーの形態のガイド要素４４であり、ガイド要素４４は、垂直軸（図示せず）を中心にして回転可能である。ガイド要素４４は、ベルトガイド部分４４．１、下部端プレート４４．２、およびローラー軸受４５の領域における上部部分４４．３から実質的に構成される。ベルト４３は、そのベルト幅が垂直方向に延在し、ガイド要素４４のベルトガイド部分４４．１のまわりに巻かれる。ベルトガイド部分４４．１は、端プレート４４．２と上部部分４４．３との間に、ガイド要素４４の表面に溝状窪みを形成する。この窪みは、ベルト用のガイド構造体を形成し、ガイド要素４４のまわりをベルト４３が巻いている間に、ベルト４３の側方向ガイドを確実にする。
【００３７】
図５Ａおよび５Ｂは、本発明によるドアのさらなる変形形態を示し、扉６１を有する。図５Ａは、第１の位置にある扉６１を示し、図５Ｂでは第２の位置にあり、扉６１は経路Ａにわたって第１の位置に対向して変位される。ガイド手段は、オープンベルト６３と、扉６１に２つのガイド要素６４、６５を具備する。第１のガイド要素６４は、扉６１の摺動方向に延在する第１のベルト端６３．１用の長手方向ガイドである。第２のガイド要素６５は、撓み要素または撓みローラーである。ベルト６３は、第２のベルト端６３．２によって、フレーム（図示せず）の領域にまたはその中に締結される。
【００３８】
ガイド表面の方向にベルトの押圧圧力を確実にし、および／または、ベルトのバイアスを生成するばね要素を使用することができる。
【００３９】
軸を中心にして回転する撓みローラーの代わりに、ガイド要素の他の形態を使用することができる。特に適切なのは、たとえば、ベルトの摺動を可能にする「ナイロン」ガイド要素または「テフロン（登録商標）」コーティング要素である。
【００４０】
本発明にしたがって、実施形態の様々な形態の個別の態様を、互いに組み合わせることができる。加えて、ベルトは、非常に異なる方法でガイドされ撓むことができる。
【００４１】
扉の摺動中にベルトを側方向にガイドする図４に例示される可能性の代替として、ガイド表面自体にベルトを側方向にガイドするためのガイド構造体を作る変形形態がある。この変形形態は、図６に例示される。ガイド表面７８に沿って摺動可能な扉７１は、扉の摺動方向に垂直な断面で図６に例示される。扉にガイド要素７４が締結され、ガイド要素７４のまわりに、ガイド表面７８にぴったりと当接するベルト部分を具備するベルト７３が、扉の摺動中に動く。ベルト７３用のガイド構造体が、溝７９の形態で構成され、溝７９が、ガイド表面７８の扉７１の運動方向に垂直なベルト７３の側方向運動の可動空間を狭める。
【００４２】
この変形形態のさらなる展開において、一方の側または両側に作用する側方向ガイド構造体は、開示されたベルトの１つに関して、扉の運動の方向を横切ってベルトの運動の可動領域を制限するために、ベルトおよび／または関連するガイド表面用のガイド要素が、ベルトの一方の側または両側に適切に構成されるような方法で形成されることができる。
【００４３】
最適化の異なる可能性が、ベルト用の材料の選択に関連して、および、ガイド表面の一方またはガイド要素の一方に接触するようにされるベルトのそれぞれの表面の準備に関連して、本発明の枠組み内に存在する。扉にしっかり締結されるガイド要素の場合、ベルトに関して、ガイド要素に面するベルトの側部がガイド要素上を摺動し、そのため、ベルトは、本発明にしたがって、扉がガイド表面に沿って摺動するときにガイド要素のまわりを動くことができる。この場合、異なる材料組成を有する数層のラミネート構造としてベルトを構成することが有利である。たとえば、ガイド要素に接触するようにされる層は、ベルトとガイド要素との間に低摺動摩擦を確実にする材料から作ることができる。別の層の材料は、特に扉の摺動方向に負荷がある場合に、ベルトが高い引裂強さを有するように選択することができる。ガイド表面に接触するようにされる層は、汚染に対して強く、および／または磨耗に対して強い材料から作ることができるか、または、ガイド表面で最適密閉が達成されるように最適化されることができる。扉の摺動方向に沿って配向されたラミネートを有するラミネート構造は、たとえば、特にラミネート構造が弾性のある材料から形成されるとき、良好な密閉を確実にし、したがってラミネートが、軽い押圧圧力の作用下でガイド表面にギャップが無い接触を形成するという必須条件が作られる。
【００４４】
扉の運動の方向に垂直な軸を中心にして回転可能であるガイド要素の場合、または扉の摺動の場合に、ガイド要素に当接するベルト部分と一緒に動くことができる一般的なガイド要素の場合は、ガイド要素に当接するベルトの側部が、ガイド要素の表面に対して高い程度の固着を確実にする材料から構成されるならば、それに反して、利点を有する。ガイド要素のまわりにベルトを運ぶことは、扉の摺動の場合に申し分なく制御される。
【００４５】
本発明は、ガイド表面の特性とは無関係に、互いに対して当接するガイド要素とベルトとの間の境界表面の特性に最適に整合する可能性を提供する。本発明は、湾曲したガイド表面に沿ってガイドされる真っ直ぐなまたは湾曲した扉にも使用可能である。
【図面の簡単な説明】
【００４６】
【図１Ａ】本発明にしたがったドアの正面図である。
【図１Ｂ】図１に示されたドアの詳細拡大図である。
【図１Ｃ】図１Ａおよび１Ｂに示されたドアの側方向断面図である。
【図２】図２Ａは、本発明にしたがったドア用のガイド手段を備えた扉を示し、扉が、第１の位置を取る上面図であり、図２Ｂは、ガイド手段を備えた図２Ａに示された扉を示し、扉は第２の位置を取り、図２Ａと同一の図である。
【図３】図３Ａは、本発明にしたがったドア用のガイド手段を備え、ならびに、同様にガイド要素およびベルトを具備する追加のガイド手段を備えた扉を示し、扉は、第１の位置を取り、図２Ａおよび２Ｂと同一の図であり、図３Ｂは、ガイド手段を備えた図３Ａに示された扉を示し、扉は第２の位置を取り、図２Ａ、２Ｂおよび３Ａと同一の図である。
【図４】ガイド手段を備えた扉を示す詳細垂直断面図である。
【図５】図５Ａは、ガイド手段を備えたさらなる扉を示し、扉は、第１の位置を取り、図２Ａ、２Ｂ、３Ａおよび３Ｂと同一の図であり、図５Ｂは、ガイド手段を備えた図５Ａに示された扉を示し、扉は第２の位置を取り、図２Ａ、２Ｂ、３Ａおよび３Ｂと同一の図である。
【図６】ガイド手段を備えたさらなる扉を示す詳細垂直断面図である。
【符号の説明】
【００４７】
１０  ドア
１１、２１、３１、４１、６１、７１  扉
１２  摺動の方向
１３、２３、３３．１、３３．２、４３、７３  ベルト
１４、１５、２４、２５、６４、６５、７４、３４．１、３４．２、３５．１、３５．２、４４  ガイド要素
１６  縁
１８  垂直ガイド表面
１９  フレーム
２２、３２  矢印
２６、３６、７６  締結手段
２８、３８．１、３８．２、７８  ガイド表面
４４．１  ベルトガイド部分
４４．２  下部端プレート
４４．３  上部部分
４５  ローラー軸受
６３  開口ベルト
６３．１、６３．２  ベルト端
７９  溝
Ａ  経路
Ｘ、Ｙ  ベルト位置
【図１Ａ】
2004263540.tif 000003
【図１Ｂ】
2004263540.tif 000004
【図１Ｃ】
2004263540.tif 000005
【図２】
2004263540.tif 000006
【図３】
2004263540.tif 000007
【図４】
2004263540.tif 000008
【図５】
2004263540.tif 000009
【図６】
2004263540.tif 000010
【外国語明細書】
2004263540.tif 000011
2004263540.tif 000012
2004263540.tif 000013
2004263540.tif 000014
2004263540.tif 000015
2004263540.tif 000016
2004263540.tif 000017
2004263540.tif 000018
2004263540.tif 000019
2004263540.tif 000020
2004263540.tif 000021
2004263540.tif 000022
2004263540.tif 000023
2004263540.tif 000024
2004263540.tif 000025
2004263540.tif 000026
2004263540.tif 000027
2004263540.tif 000028
2004263540.tif 000029
2004263540.tif 000030
2004263540.tif 000031
2004263540.tif 000032
2004263540.tif 000033